(57)【特許請求の範囲】
【請求項１】
横長方形の前縁両端角部に円弧状角丸縁を形成し、前縁を下向きに折曲して前縁垂下片を形成した棚板本体と、棚板本体の左右側面を形成する左右一対の側面部材と、前縁垂下片の前方に配設される前縁部材とから成る商品陳列台の棚板であって、
前記側面部材は、少なくとも棚板本体裏面に重合する水平片とこれに直交する側縁垂直片とから構成され、該側縁垂直片の前方先端部には内向き円弧状の折曲部が、前記水平片とともに同一部材により一体形成されていることを特徴とする商品陳列台の棚板。
【請求項２】
前記前縁垂下片の前方には、左右幅が該前縁垂下片と同寸又は若干長寸に形成された前縁部材が配設されている請求項１に記載の商品陳列台の棚板。
【請求項３】
前記内向き円弧状の折曲部と、該内向き円弧状の折曲部に連接する垂直な内向き突出片とが、段部を介して延設され、該段部を前記前縁垂下片の端縁に当接させた状態で、前記内向き突出片を前縁垂下片の裏面に重合した際、円弧状の折曲部前面と前記前縁垂下片の前面が連続した面として形成される請求項１または２に記載の商品陳列台の棚板。
【請求項４】
前記前縁部材と前縁垂下片との間には、上向きの係止溝が形成されている請求項１〜３の何れかに記載の商品陳列台の棚板。
【発明の詳細な説明】
【０００１】
【発明の属する技術分野】
本発明は、例えばスーパーマーケットやコンビニエンスストア．百貨店などで使用される商品陳列台に関し、特に角部が円弧状に形成される商品陳列台の棚板に関する。
【０００２】
【従来の技術】
この種の商品陳列台の棚板としては、例えば実公昭４９−３８２５３号公報に開示されているものがある。
【０００３】
【発明が解決しようとする課題】
前記公報に開示された商品陳列台の棚板は、横長方形の棚板主体の左右に横向き突出縁を延長形成してその前縁両端角部に円弧状角丸縁を形成し、かつ突出縁の下側にその前後の角丸縁部に重ならない長さの重合板を重合付着し、各重合板の段部に突出縁を当接させ、各重合板の外側縁に屈折縁と同じ下向き屈折縁を設け、更に各角丸縁の下側に隅形成形円弧板を重合付着し、各円弧板の段部に角丸縁の端縁を当接し、各隅形成円弧板の外側縁に下向き屈折縁を設けてその両端縁をそれぞれ屈折縁及び端縁に接すると共に、屈折縁の両端縁より横向きに突設した連結板を、屈折縁の内面にそれぞれ重合付着して、棚板の角部を円弧状に形成したものである。
【０００４】
さらに詳しくは、隅形成形円弧板を単体として形成し、この隅形成形円弧板を、板主体の両側縁に形成される下向き折曲縁と、前縁の下向き折曲縁の両側角部内面に、前記両連結板をそれぞれ重合付着して前記両側縁に連続する円弧状の角部が形成されている。
【０００５】
ところが、このような従来の商品陳列台の棚板では、横長方形の棚板主体左右の前縁両端角部に、単体の隅形成形円弧板の両連結板が正確に合わせて溶接により重合付着して接続されるので、隅形成形円弧板の両側に形成される両接合部を滑らかにする表面仕上げ加工を施す手作業が必要となり、手間がかかる問題を有していた。
【０００６】
更に、棚板主体と各角丸縁の下側に重合付着される隅形成形円弧板との接合部にも上下方向の境界線が露呈することから、溶接したのちに表面仕上げ加工を施してこれを隠すための手作業が必要となるため、手間がかかると共に仕上げ面を滑らかに形成することが困難となる問題を有し、更なる改良が望まれていた。
【０００７】
本発明は、上記問題点を解決するためになされたもので、棚板本体の両端角部に形成される円弧状折曲部が、境界線の無い連続した滑らかな面に形成されて見栄えが良く、容易に製作することができる商品陳列台の棚板を提供することを目的としている。
【０００８】
【課題を解決するための手段】
前記目的を達成するために、本発明の商品陳列台の棚板は、横長方形の前縁両端角部に円弧状角丸縁を形成し、前縁を下向きに折曲して前縁垂下片を形成した棚板本体と、棚板本体の左右側面を形成する左右一対の側面部材と、前縁垂下片の前方に配設される前縁部材とから成る商品陳列台の棚板であって、
前記側面部材は、少なくとも棚板本体裏面に重合する水平片とこれに直交する側縁垂直片とから構成され、該側縁垂直片の前方先端部には内向き円弧状の折曲部が、前記水平片とともに一体形成されていることを特徴としている。
上記構成の本発明によると、側面部材の側縁垂直片における前方先端部に形成される内向き円弧状折曲部が、水平片とともに同一部材により円弧状に形成されるので、内向き円弧状折曲部と前縁垂下片との接合部が１箇所のみとなることから表面仕上げ加工が容易となり、連続した滑らかな面として形成することができ、見栄え良く製作することができる。
【０００９】
上記商品陳列台の棚板において、前記前縁垂下片の前方には、左右幅が該前縁垂下片と同寸又は若干長寸に形成された前縁部材が配設されているのが好ましい。
このようにすると、前縁垂下片と、前記折曲部との境界部とが前縁部材の端縁と重なり、若しくは前縁部材の端部により隠蔽されるので、見栄えが向上する。
【００１０】
上記商品陳列台の棚板において、前記内向き円弧状の折曲部と、該内向き円弧状の折曲部に連接する垂直な内向き突出片とが、段部を介して延設され、該段部を前記前縁垂下片の端縁に当接させた状態で、前記内向き突出片を前縁垂下片の裏面に重合した際、円弧状の折曲部前面と前記前縁垂下片の前面が連続した面として形成されるのが好ましい。
このようにすると、前縁垂下片の端縁に段部を当接させた状態で、内向き突出片が前縁垂下片の裏面に重合されるので、段部が棚板本体に側面部材を組み込む際の位置決めとなり、組み込み作業を向上することができ、段差や隙間が形成されることが無くなる。
【００１１】
上記商品陳列台の棚板において、前記前縁部材には、前記前縁垂下片の前方に、上向きの係止溝が形成されているのが好ましい。
このようにすると、上向きの係止溝に値札や名札等の他、例えば板状に形成された樹脂製のフロントストッパ等を取り付ける保持部として使用することができる。
【００１２】
【発明の実施の形態】
以下、本発明の一実施形態を図面に基づいて説明する。図１は横長方形の棚板本体左右側面に側面部材が組み込まれる状態を示す斜視図、図２は横長方形の棚板本体左右側面に側面部材が組み込まれた状態を示す斜視図、図３は側面部材の円弧状の折曲部を内側から視た状体を示す斜視図、図４は横長方形の前縁垂下片の裏面に円弧状の折曲部から延設した内向き突出片が重合した状態を示す一部を部分破断した平面図であり、図５は図４のＡ−Ａ断面図である。
【００１３】
先ず図１には、本発明の適用された商品陳列台の棚板１が示され、この商品陳列台の棚板１は、横長方形の前縁両端角部に円弧状角丸縁３が形成され、前縁を下向きに折曲して前縁垂下片４を形成した鋼板製の棚板本体２と、棚板本体２の左右側面を形成する左右一対の側面部材５（片側のみ図示）と、前縁垂下片４の前方に配設される前縁部材６とから構成されている。
【００１４】
更に詳しくは、側面部材５は、例えば鋼板により形成され棚板本体２の裏面に重合する水平片７とこれに直交する側縁垂直片８とから成り、前方先端部に形成された内向き円弧状の折曲部９と、該折曲部９に連接する垂直な内向き突出片１０とから構成されており、例えばプレスにより一体的に成形されている。
【００１５】
この内向き突出片１０は、側面部材５の側縁垂直片８より若干幅狭に形成されており、前縁垂下片４の裏面に重合させて溶接接合されると共に、前縁垂下片４の前方に、左右幅が該前縁垂下片４と同寸又は若干長寸に形成された前縁部材６が配設されている。
【００１６】
更に、内向き円弧状折曲部９の上縁は、前記水平片７に連続するフランジ７ａとして形成されると共に、その下縁にも円弧状折曲部９の範囲でフランジ７ｂが同一部材により一体形成されている。
【００１７】
そして、内向き円弧状折曲部９と、この内向き円弧状折曲部９に連接する垂直な内向き突出片１０とが段部１２を介して延設され、この段部１２を前縁垂下片４の端縁に当接させた状態で、内向き突出片１０を前縁垂下片４の裏面に重合した際、円弧状の折曲部９前面と前縁垂下片４の前面が連続した面として形成される。
【００１８】
また、前縁部材６は、図５に示されるように、上方が開口した断面コ字状に形成され、コ字状の一方の側縁を前縁垂下片４の前方に臨ませて前縁垂下片４の前方に所定隙間の隙間を有する上向きの係止溝１３が形成されるように配置してコ字状の他方の側縁上端が棚板本体２の前縁下面に溶接接合されると共に、コ字状の底面には棚板本体２の前縁垂下片４下端が溶接接合されている。
【００１９】
そして、前縁部材６の適所には、値札や名札等を挟持するための複数の突起１４が係止溝１３内部に向けて突設され、前縁部材６に沿って所定間隔毎に配設されている。
【００２０】
次に、上記のように構成された商品陳列台の棚板の組立手順につき説明する。先ず、図１に示されるように、横長方形の前縁を下向きに折曲した前縁垂下片４両端縁の裏面に、側面部材５の前方先端部に形成された内向き円弧状の折曲部９に連接する垂直な内向き突出片１０を重合させる。
【００２１】
この内向き突出片１０を前縁垂下片４両端縁の裏面に重合するに際し、内向き円弧状の折曲部と内向き突出片１０との間に形成された段部１２を前縁垂下片４の端縁に当接させて側面部材５を位置決めする。
【００２２】
これにより、側面部材５は内向き円弧状の折曲部９が、横長方形の棚板本体２の前縁両端角部に形成された円弧状角丸縁３に一致し、水平片７が棚板本体２左右の下面に重合する。
【００２３】
そこで、前縁垂下片４両端縁の裏面に重合した内向き突出片１０と、棚板本体２左右の下面に重合した水平片７を例えばスポット溶接等により溶接接合する。
【００２４】
このようにして、側面部材５の側縁垂直片８における、前方先端部の内向き円弧状折曲部９に連接する内向き突出片１０を前縁垂下片４の裏面に重合さることにより、前縁両端角部が側面部材５と同一部材により円弧状に形成されるので、内向き円弧状折曲部９と前縁垂下片４との接合部が１箇所のみとなることから表面仕上げ加工が容易となり、連続した滑らかな面として形成することができ、見栄え良く製作することができる。
【００２５】
また、内向き突出片１０が、前縁垂下片４の裏面に重合されると共に、前縁垂下片４の前方には、左右幅がこの前縁垂下片４と同寸又は若干長寸に形成された前縁部材が配設されているので、前縁垂下片４と、内向き突出片１０とが前縁垂下片４の裏面に重合された際、その境界部が前縁部材６の端縁と重なるか若しくは前縁部材６により隠蔽されるので、見栄えが向上する。
【００２６】
更に、前縁垂下片４の端縁に段部１２を当接させた状態で、内向き突出片１０が前縁垂下片４の裏面に重合されるので、段部１２が棚板本体２に側面部材５を組み込む際の位置決めとなり、組み込み作業を向上することができ、段差や隙間が形成されることが無く見栄え良く形成することができる。
【００２７】
加えて、前縁部材６と前縁垂下片４との間には、上向きの係止溝１３が形成されるので、上向きの係止溝１３に値札や名札等の他、例えば板状に形成された樹脂製のフロントストッパ等を取り付ける保持部として使用することができ、係止溝１３に差し込まれた値札や名札等は、係止溝１３内部に向けて突設された複数の突起１４により確実に係止される。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
【発明の効果】
本発明は以下の効果を奏する。
【００３０】
（ａ）請求項１項の発明によれば、側面部材の側縁垂直片における前方先端部に形成される内向き円弧状折曲部が、水平片とともに同一部材により円弧状に形成されるので、内向き円弧状折曲部と前縁垂下片との接合部が１箇所のみとなることから表面仕上げ加工が容易となり、連続した滑らかな面として形成することができ、見栄え良く製作することができる。
【００３１】
（ｂ）請求項２項の発明によれば、前縁垂下片と、前記折曲部との境界部とが前縁部材の端縁と重なり、若しくは前縁部材の端部により隠蔽されるので、見栄えが向上する。
【００３２】
（ｃ）請求項３項の発明によれば、前縁垂下片の端縁に段部を当接させた状態で、内向き突出片が前縁垂下片の裏面に重合されるので、段部が棚板本体に側面部材を組み込む際の位置決めとなり、組み込み作業を向上することができ、段差や隙間が形成されることが無くなる。
【００３３】
（ｄ）請求項４項の発明によれば、上向きの係止溝に値札や名札等の他、例えば板状に形成された樹脂製のフロントストッパ等を取り付ける保持部として使用することができる。
【図面の簡単な説明】
【図１】本発明の一実施形態としての横長方形の棚板本体左右側面に側面部材が組み込まれる状態を示す斜視図である。
【図２】本発明の一実施形態としての横長方形の棚板本体左右側面に側面部材が組み込まれた状態を示す斜視図である。
【図３】側面部材の円弧状の折曲部を内側から視た状体を示す斜視図である。
【図４】横長方形の前縁垂下片の裏面に円弧状の折曲部から延設した内向き突出片が重合した状態を示す一部を部分破断した平面図である。
【図５】図４のＡ−Ａ断面図である。
【符号の説明】
１            棚板
２            棚板本体
３            円弧状角丸縁
４            前縁垂下片
５            側面部材
６            前縁部材
７            水平片
７ａ、７ｂ    フランジ
８            側縁垂直片
９            内向き円弧状折曲部
１０          突出片
１２          段部
１３          係止溝
１４          突起
【図１】
0004044259.tif 000002
【図２】
0004044259.tif 000003
【図３】
0004044259.tif 000004
【図４】
0004044259.tif 000005
【図５】
0004044259.tif 000006